(57)【要約】      （修正有）【課題】特別図柄表示装置を２個有する弾球遊技機に保留玉当たり予告表示を取り入れ、遊技者にとって興趣ある遊技機を提供する。【解決手段】第１始動入賞口４１により変動表示する第１特別図柄表示手段３１０と、普通図柄抽せんの第２始動入賞口４２により変動表示する第２特別図柄表示手段３１１と、第１または第２特別図柄表示手段における特定遊技状態が終了した後は、予め定めた状態となるまでは第２特別図柄表示手段による変動表示を優先するとともに、普通図柄の当せん確率が通常よりも高く、かつ第１及び第２特別図柄表示手段による変動表示時間が通常よりも短い時短状態となる弾球遊技機において、第１及び第２保留玉表示手段３１６，３１７に表示される保留玉が特定図柄となる保留玉当たりと判定されたとき、第２保留玉表示手段に係る変動表示が全て終了した時点で、第１保留玉表示手段による当せんを予告する予告手段３１９を有する構成。【選択図】図１
2010063791.tif 000002
【特許請求の範囲】
【請求項１】
第１始動入賞口と、前記第１始動入賞口への遊技球の入賞により変動表示する第１特別図柄表示手段と、普通図柄始動口への遊技球の入球による普通図柄抽せんに当せんすることによって開放されて遊技球の入賞を可能とされる第２始動入賞口と、前記第２始動入賞口への遊技球の入賞により変動表示する第２特別図柄表示手段と、前記第１特別図柄表示手段及び前記第２特別図柄表示手段を変動表示制御する変動表示制御手段と、前記第１始動入賞口及び前記第２始動入賞口への遊技球の入賞によっても前記第１特別図柄表示手段および前記第２特別図柄表示手段による変動表示が未実行である保留玉に係る表示を一定個数までそれぞれ表示する第１保留玉表示手段及び第２保留玉表示手段と、を有し、前記第１特別図柄表示手段よりも前記第２特別図柄表示手段による変動表示を優先するとともに、前記第１特別図柄表示手段または前記第２特別図柄表示手段における表示が予め定められた特定図柄となった場合に、遊技者にとって有利な特定遊技状態に制御され、前記特定遊技状態が終了した後は、予め定めた状態となるまでは、前記普通図柄抽せんにおける当せん確率が通常の遊技状態よりも高く、かつ前記第１特別図柄表示手段及び前記第２特別図柄表示手段による変動表示時間が通常の遊技状態よりも短い時短状態となる弾球遊技機において、
前記第１保留玉表示手段に表示される保留玉が入賞に基づく抽せんで前記予め定められた特定図柄となる当せん乱数を保有することを判定する保留玉当たり判定手段と、前記保留玉当たり判定手段によって保留玉が前記特定図柄となる当せん乱数を保有すると判定したときであって、且つ前記第２保留玉表示手段に表示されている前記保留玉に係る変動表示が全て終了した時点で、前記第１保留玉表示手段に表示される保留玉に係る当せんを予告する保留玉当たり予告手段を有したことを特徴とする弾球遊技機。
【請求項２】
請求項１において、前記保留玉当たり予告手段を、前記第１保留玉表示手段に表示される保留玉表示の表示形態を可変する保留玉表示可変予告手段としたことを特徴とする弾球遊技機。
【請求項３】
請求項１ないし２において、前記予告を行うか否かを抽せんする予告抽せん手段を有し、前記予告抽せん手段に当せんすることによって前記予告を行うことを特徴とする弾球遊技機。
【発明の詳細な説明】
【技術分野】
【０００１】
本発明は、パチンコ遊技機等の弾球遊技機に関し、特に、大当たりに当せんした保留玉の予告表示に関するものである。
【背景技術】
【０００２】
弾球遊技機において、特別図柄表示手段を有し、特別図柄始動入賞口への遊技球の入賞によって該特別図柄表示手段の変動表示が開始され、その変動図柄が予め定められた図柄で停止した場合（つまり、大当たりとなった場合）、遊技者に有利な遊技状態である特定遊技状態に移行されるものが知られている。
この特別図柄表示手段の作動中（つまり、表示図柄が変動中）あるいは前記した特定遊技状態中において、特別図柄始動入賞口へ入賞した遊技球については、４個を上限として保留玉として扱われ、入賞時に付与された乱数が記憶されるとともに、該保留玉の個数が遊技盤上の所定位置に液晶表示されるよう構成されている。
この保留玉は、作動中の特別図柄表示手段の変動表示が終了すると、入賞順に、入賞時に付与された乱数に対応した特別図柄表示手段の変動表示が行われる。
【０００３】
このような弾球遊技機において、特定遊技状態にある時、保留玉中に大当たり乱数が付与されたものであるか否かを判定し、大当たり乱数を付与されたものがある場合には、その特定遊技状態中あるいは特定遊技終了時において、保留玉中に大当たりがあることを予告表示（以下、「保留玉当たり予告表示」という。）することが提案されている。（特許文献１）
【０００４】
一方、前記した特別図柄表示手段を２個有し、その特別図柄の変動表示は、それら特別図柄表示手段にそれぞれ対応した特別図柄始動入賞口への遊技球の入賞によって開始される形式の弾球遊技機も知られている。
この特別図柄始動入賞口は、いわゆる電動チューリップで構成されたり、あるいは、通常遊技において進入することのできる開口部を有する始動入賞口から構成されたりしており、
この形式のものにおいては、この２つの特別図柄表示手段を変動表示させる特別図柄始動入賞口は、一方を、電動チューリップとし、他方を、常時開放されている始動入賞口としている。電動チューリップの場合、その開放は、遊技球が普通図柄始動口（ゲート）を通過することで行われる普通図柄抽せんに当せんすることで行われる。
このようなタイプの弾球遊技機は、大当たりを発生させる特別図柄を２つ備えていることから、遊技に多様性を与えることができる。
【特許文献１】特開２００７−１４３８２７号公報
【発明の開示】
【発明が解決しようとする課題】
【０００５】
このような従来例では、上記した特別図柄表示手段を２個有する弾球遊技機において、該保留玉当たり予告表示をすることについて考慮されていないので、遊技に多様性を与えるのに十分でない。
本発明は前記の点に鑑みなされたものであり、特別図柄表示手段を２個有する弾球遊技機に該保留玉当たり予告表示を取り入れ、遊技者にとって興趣ある遊技機を提供しようとするものである。  
【課題を解決するための手段】
【０００６】
本発明は、上述した目的を達成する解決手段として、第１始動入賞口と、前記第１始動入賞口への遊技球の入賞により変動表示する第１特別図柄表示手段と、普通図柄始動口への遊技球の入球による普通図柄抽選に当せんすることによって開放されて遊技球の入賞を可能とされる第２始動入賞口と、前記第２始動入賞口への遊技球の入賞により変動表示する第２特別図柄表示手段と、前記第１特別図柄表示手段及び前記第２特別図柄表示手段を変動表示制御する変動表示制御手段と、前記第１始動入賞口及び前記第２始動入賞口への遊技球の入賞によっても前記第１特別図柄表示手段および前記第２特別図柄表示手段による変動表示が未実行である保留玉に係る表示を一定個数までそれぞれ表示する第１保留玉表示手段及び第２保留玉表示手段と、を有し、前記第１特別図柄表示手段よりも前記第２特別図柄表示手段による変動表示を優先するとともに、前記第１特別図柄表示手段または前記第２特別図柄表示手段における表示が予め定められた特定図柄となった場合に、遊技者にとって有利な特定遊技状態に制御され、前記特定遊技状態が終了した後は、予め定めた状態となるまでは、前記普通図柄抽せんにおける当せん確率が通常の遊技状態よりも高く、かつ前記第１特別図柄表示手段及び前記第２特別図柄表示手段による変動表示時間が通常の遊技状態よりも短い時短状態となる弾球遊技機において、前記第１保留玉表示手段に表示される保留玉が入賞に基づく抽せんで前記予め定められた特定図柄となる当せん乱数を保有することを判定する保留玉当たり判定手段と、前記判定手段によって保留玉が前記当せん乱数を保有すると判定したときであって、且つ前記第２保留玉表示手段に表示されている前記保留玉に係る変動表示が全て終了した時点で、前記第１保留玉表示手段に表示される保留玉に係る当せんを予告する保留玉当たり予告手段を有する構成とした。
【０００７】
また、前記保留玉当たり予告手段を、第１保留玉表示手段に表示される保留玉表示の表示形態を可変する保留玉表示可変予告手段とする構成とした。
【０００８】
さらに
、前記予告を行うか否かを抽せんする予告抽せん手段を有し、該予告抽せん手段に当せんすることによって予告を行う構成とした。
【発明の効果】
【０００９】
本発明は、第１及び第２の２つの特別図柄表示手段を有し、第２特別図柄の保留玉に係る変動表示を優先する弾球遊技機において、該第２保留玉に係る変動表示が終了した時点で、第１特別図柄に係る保留玉当たり表示をするので、このような第１特別図柄に係る保留玉当たり表示が、あたかも、第２保留玉による時短ゲームに連続したゲームであるかのごとき演出効果、あるいは、時短終了後の通常ゲームに移行する際に時短状態に復活するかのごとき演出効果を生じさせることができ、遊技の多様性を一層与えることができるので、遊技者に興趣を与える弾球遊技機を提供することができる。
【発明を実施するための最良の形態】
【００１０】
以下に本発明に好適な実施の形態を、本発明をパチンコ遊技機に適用した場合おいて、図面を用いて説明する。  
【００１１】
本発明の実施の形態に係るパチンコ遊技機を、図１に示す。
パチンコ機５０は、本体枠５１と、本体枠５１の前面にガラス等の透明窓を含む窓枠（図示せず）が開閉自在に設けられて、遊技者が遊技盤１を視認できるようにするとともに、遊技盤１を外部から保護している。
遊技盤１の下方には、遊技盤上に発射されるべき遊技球を一時貯留する上皿５３が設けられている。上皿５３には、賞球払出口（図示せず）が設けられ、ここから賞球として払い出された遊技球が排出される。
上皿５３の下方には下皿５４が設けられ、上皿５３で貯留しきれなかった賞球が下皿５４に排出されるようになっている。下皿５４の右方には操作ハンドル５５が取り付けられており、遊技者が、操作ハンドル５５に手を添えて右に回すことにより発射装置（図示せず）が稼動し、上皿５３に貯留された遊技球が、上皿５３の右側に配列されながら発射装置に導かれ１球ずつ発射される。
発射された遊技球は遊技領域内に射出され、遊技領域に配置されたいずれの入賞口にも入賞しなかった遊技球はアウト口５８に回収される。
遊技盤１のほぼ中央部には、液晶表示素子等からなる役物装置３００が設けられている。
また、パチンコ機５０には、電飾装置５６、スピーカ５７が設けられており、遊技の進行に応じて、音や光によって様々な演出を行っている。また、遊技盤１には多数の障害釘や、風車等も設けられている。
【００１２】
本発明は、特別図柄表示手段を２個有しているパチンコ遊技機に関するものであり、このため、図１に示すように、役物装置３００内に、第１特別図柄表示手段３１０及び第２特別図柄表示手段３１１が設けられている。
また、該役物装置３００内には、液晶表示素子からなる演出画像表示手段３１８が設けられており、この演出画像表示手段３１８は、２個の特別図柄表示手段３１０、３１１における変動表示等に連関して、遊技者に対し興趣ある演出表示をすべく設けられているものである。
本実施の形態においては、第１特別図柄表示手段３１０及び第２特別図柄表示手段３１１は、該役物装置３００内に設けられているが、これに限ることなく、遊技盤上の遊技者が視認できる箇所に適宜配置することができる。
該役物装置３００の下方には、該第１及び第２特別図柄表示手段３１０、３１１をそれぞれ変動表示するための第１始動入賞口４１と、その下方の電動チューリップからなる第２始動入賞口４２とが設けられている。
第１始動入賞口４１への遊技球の入賞により、所定個数の賞球が払い出されるとともに第１特別図柄表示手段３１０の変動表示が開始され、また第２始動入賞口４２への遊技球の入賞により、同様に所定個数の遊技球が払い出されるとともに第２特別図柄表示手段３１１の変動表示が開始されるよう構成されている。
【００１３】
遊技盤１の遊技領域の左右には普通図柄始動口（スルーチャッカー）４３が設けられており、該普通図柄始動口４３への遊技球の入球によって普通図柄抽せんが行われ、その結果が遊技盤右下部に設けられる普通図柄表示手段３１２に表示される。その表示結果が、予め定められた表示結果となった場合は、上記した第２始動入賞口４２である電動チューリップが一定時間、開放され遊技球の入賞が可能とされる。
また、該電動チューリップの下方には、特定遊技状態において遊技球が入賞することができるように開放される大入賞口（アタッカ）４４が設けられている。
更に、遊技盤の所定箇所には、一般入賞口４０が適宜配置されており、該一般入賞口へ遊技球が入賞すると、所定個数の遊技球が払い出されるように構成されている。
なお、該大入賞口４４は、第１特別図柄表示手段３１０及び第２特別図柄表示手段３１１に対応させるように２個設けられていても良い。  
【００１４】
また、遊技球が第１始動入賞口４１ないし第２始動入賞口４２に入賞した時から、対応する第１特別図柄表示手段３１０または第２特別図柄表示手段３１１の変動表示が終了する時までの間、または第１特別図柄表示手段３１０または第２特別図柄表示手段３１１において大入賞口４４が作動することとなる図柄の組み合わせが表示された時から当該大入賞口４４の作動が終了する時までの間に、遊技球が第１始動入賞口４１ないし第２始動入賞口４２に入賞した遊技球については、予め設定された上限数まで、いわゆる保留玉として、それぞれ第１保留玉表示手段３１６及び第２保留玉表示手段３１７によって所定位置に表示される。
この第１保留玉表示手段３１６及び第２保留玉表示手段３１７は、図２に示すように、前記演出画像表示手段３１８の下部の液晶表示素子によって構成されており、左側の第１保留玉表示手段３１６により上限数に対応した個数の保留玉表示が行われ、右側の第２保留玉表示手段３１７により同じく上限数に対応した個数の保留玉表示が行われる。
該第１保留玉表示手段３１６及び第２保留玉表示手段３１７の表示は、もちろんこれに限ることなく、発光ダイオード等を用いて、演出画像表示手段３１８とは別途に設けることもできる。
本実施の形態においては、該上限数を４個として設定し、図２に示すように、それら４個が左右の所定位置に配置されるように構成されている。もちろん、これらを上下２列に配置したり、上下に配置したりすることもできる。
そして、保留玉の発生順に、図２中の左端位置の保留玉表示から右端位置の保留玉表示に向けて順次表示され、保留玉が減少する毎に、右端の該保留玉表示から順に減少するように表示される。
【００１５】
更に、本実施の形態におけるパチンコ遊技機は、図３に示すように、制御装置１１と入力装置２１及び出力装置３１等を備えている。
入力装置２１は、複数の一般入賞口センサ２１０、第１始動入賞口センサ２１１、第２始動入賞口センサ２１２、大入賞口センサ２１３、普通図柄始動口入球センサ２１４等を備えている。
ここで、一般入賞口センサ２１０は、複数の一般入賞口４０に入賞した遊技球を、第１及び第２始動入賞口センサ２１１，２１２はそれぞれ第１始動入賞口４１及び第２始動入賞口４２に入賞した遊技球を、大入賞口センサ２１３は大入賞口４４に入賞した遊技球を各々検知するセンサである。また、普通図柄始動口入球センサ２１４は、普通図柄始動口（スルーチャッカー）４３を入球する遊技球を検知するセンサである。
【００１６】
制御装置１１は、入力装置２１からの信号入力を受けて当該パチンコ遊技機の制御を行う手段であって、ＣＰＵ１１０、ＲＯＭ１１１、ＲＡＭ１１２の他、乱数取得手段１１３、大当たり抽せん手段１１４、変動表示制御手段１１５、演出画像表示制御手段１１６、特定遊技制御手段１１７、第１保留玉乱数記憶手段１１８、第２保留玉乱数記憶手段１１９、保留玉表示制御手段１２０、保留玉消化手段１２１、保留玉当たり判定手段１２２、予告抽せん手段１２３、予告データ用メモリ１２４、時短状態制御手段１２５等を備えている。
ここで、  乱数取得手段１１３、大当たり抽せん手段１１４、変動表示制御手段１１５、特定遊技制御手段１１７、第１保留玉乱数記憶手段１１８、第２保留玉乱数記憶手段１１９、保留玉表示制御手段１２０、保留玉消化手段１２１、保留玉当たり判定手段１２２、予告抽せん手段１２３等は、以下に記載するように、ＲＯＭ１１１に格納された遊技制御のための各種プログラムやデータをＣＰＵ１１０が読み込んで実行することにより機能するものであり、ＲＡＭ１１２は該プログラムを実行する際の作業領域等に用いられるものである。
【００１７】
出力装置３１は、制御装置１１により制御される画像表示装置等であって、上記した第１及び第２特別図柄表示手段３１０及び３１１、普通図柄表示手段３１２、効果音出力装置３１３、ランプ装置３１４、大入賞口作動装置３１５、第１及び第２保留玉表示手段３１６及び３１７、演出画像表示手段３１８、保留玉当たり予告手段３１９、保留玉表示可変予告手段３２０、賞球払出装置３２１等を備えている。
ここで、効果音出力装置３１３は遊戯中に種々の効果音や音声をスピーカ５７等から出力する装置であり、ランプ装置３１４は遊戯中に電飾装置５６を点消灯させることで、いずれも、遊技者に対し遊技状態に応じた興趣を与える演出を行うものである。
大入賞口作動装置３１５は、大入賞口４４を作動させるための装置であり、特定遊技状態において、該大入賞口４４を覆っている前板をソレノイド等により作動させることで、該大入賞口を開放したり閉鎖したりする。
賞球払出装置３２１は、大入賞口４４などの各種入賞口に遊技球が入賞したことに伴い所定数の賞球を遊技者に払い出すものである。
保留玉当たり予告手段３１９及び保留玉表示可変予告手段３２０については、後述する。
【００１８】
次に、上記のように構成された本実施の形態におけるパチンコ遊技機について、本発明の特徴である時短状態における保留玉当たりの予告動作を中心に説明する。
【００１９】
遊技球が第１始動入賞口４１に入賞し、その入賞が第１始動入賞口センサ２１１により検知されると、その入賞に対し、大当たり判定のための当せん乱数が乱数取得手段１１３により付与される。
次に、該当せん乱数が予め定められた大当たり値に一致するか否か、大当たり抽せん手段１１４により判定する。
つまり、大当たり判定手段１１４における乱数抽せんテーブルに、互いに利益率の異なる大当たりを複数設け、入賞時に乱数取得手段１１３によって取得した当せん乱数が該乱数抽せんテーブルに設けられたどの大当たり乱数に相当するかによって、どの遊技内容を有する特定遊技状態に当せんしたかを判定する。なお、大当り判定手段１１４により取得した当せん乱数が「大当り」であった場合に、どの遊技内容を有する特定遊技状態とするかを、該乱数抽せんテーブルとは別の抽せんテーブルを用いて抽せんしても良い。
その判定結果に基づいて、変動表示制御手段１１５により第１特別図柄表示手段３１０の変動表示が開始され、また、その変動表示に同期して、演出画像表示制御手段１１６により演出画像表示手段３１８の演出画像表示（大当たり演出画像表示、または外れ演出画像表示）が開始される。遊技者にとっては、この演出画像表示手段３１８に展開される多様な演出画像を注視することで、入賞した遊技球の判定結果がどのようになるかに興趣をそそられることとなる。
第１特別図柄表示手段３１０の所定時間の変動表示が停止すると、演出画像表示手段３１８による所定の演出画像表示も終了し、判定結果が該演出画像表示手段３１８及び第１特別図柄表示手段３１０に表示され、遊技者に対し大当たりか否かを表示する。
【００２０】
この第１特別図柄表示手段３１０の変動表示中に第１始動入賞口４１に入賞した遊技球については、当せん乱数が付与された後、第１保留玉乱数記憶手段１１８に、４個を上限に入賞順に記憶される。その際、各保留玉に付与された当せん乱数（保留玉乱数）が、何個目に入賞した保留玉に係るものであるかが分かるように記憶される。
このように保留玉が発生した場合、保留玉表示制御手段１２０が第１保留玉表示手段３１６を制御することにより、その保留玉の発生を表示する。例えば、３個の保留玉が発生した場合、保留玉の発生毎に、予め定められた左方の表示位置から順に保留玉表示が行われ、３個目までの保留玉表示が行われる。
【００２１】
演出画像表示手段３１８及び第１特別図柄表示手段３１０による表示が終了して判定結果が外れと表示されたとき、次の表示対象となる遊技球は、前記した保留玉が存在している場合には、その保留玉とされ、保留玉として記憶された順に、抽せん結果の表示対象とされる。
保留玉消化手段１２１は、当該保留玉乱数が大当たりの場合には大当たり演出画像表示を、外れの場合には外れ演出画像表示をそれぞれ選択し、その選択した演出画像表示を演出画像表示制御手段１１６により行わせるとともに、第１保留玉記憶手段１１８に記憶されている保留玉乱数を消去し、かつ、保留玉表示制御手段１２０により各保留玉乱数の記憶位置を１個分だけ前に（つまり左方に）シフトする表示を行わせる手段である。
例えば、第１特別図柄表示手段３１０の変動表示が停止し、その判定結果が外れと表示されたとき、第１保留玉表示手段３１６に３個の保留玉表示がなされている場合（つまり４つの保留玉表示位置のうち、左側３個目までの保留玉表示がなされている場合）、入賞時期の最も早い左端の保留玉表示（１個目の保留玉表示）に係る当せん乱数が表示対象となり、２個目が１個目の位置に、３個目が２個目の位置に、というように順次、表示位置をシフトする。このように、該保留玉消化手段１２１によって、保留玉が入賞順に消化され、その表示位置が１個ずつ左方にずれて表示されていくこととなる。
そして、該保留玉に係る第１特別図柄表示手段３１０による変動表示及び演出画像表示手段３１８による演出画像表示が開始され、以降、前記した同様な動作が行われる。
【００２２】
その判定結果が大当たりの場合は、第１特別図柄表示手段３１０の変動表示、演出画像表示手段３１８の演出画像表示（大当たり演出画像表示）がそれぞれ一定時間なされた後、それらによる大当たり表示が実行される。
【００２３】
このように大当たり表示が実行されると、それに併せて、特定遊技制御手段１１７により、効果音出力装置３１３及びランプ装置３１４による大当たりを報知する効果音演出や光演出が行われ、特定遊技状態に移行される。
該特定遊技状態では、特定遊技制御手段１１７により、大入賞口４４が所定回数（例えば１５回）開放され、各開放時に、所定個数（例えば１０個）の遊技球が入賞するか、あるいは所定時間（例えば３０秒）が経過するか、いずれかの状態となった時に閉鎖するよう制御される。
該大入賞口４４への遊技球の入賞は、大入賞口センサ２１３により検知され、入賞球１個毎に所定数（例えば１５個）の遊技球が賞球払出装置３２１によって遊技者に払い出される。  
【００２４】
本発明では、このような特定遊技状態が終了すると、通常遊技状態に復帰する前に、いわゆる時短状態とする時短状態制御手段１２５が作動するよう構成されている。
該時短状態制御手段１２５は、第１特別図柄表示手段３１０、第２特別図柄表示手段３１１及び普通図柄表示手段３１２における変動表示時間を通常状態より短縮させ（例えば、特別図柄では、通常状態で８．３秒に対し時短状態で２．３秒。普通図柄では、通常状態で３０秒に対し時短状態で２秒。）、普通図柄抽せんにおける当せん確率を高めるとともに、当せんした場合の第２始動入賞口４２の開放時間も長くするように制御する（例えば、当せん確率は、通常状態で１０／３１に対し時短状態で２８／３１  。開放時間は、通常状態で０．２秒に対し時短状態で２秒）。
したがって、時短状態においては、第２始動入賞口４２に遊技球が入賞しやすくなるので、第２特別図柄抽せんが容易に行われる状態であり、また、該第２始動入賞口４２に係る保留球（第２保留玉）が生じ易くなっており、しかも該第２始動入賞口４２への入賞が頻繁に行われることに伴う賞球の支払により、遊技者の持ち玉の減少が少なくなるので、遊技者にとって有利な状態となっている。
【００２５】
この時短状態においては、このように第２始動入賞口４２に遊技球が入賞しやすくなっているが、一方、第１始動入賞口４１に対する入賞も可能なことから、第１特別図柄抽せん表示と第２特別図柄抽せん表示との競合が生じる。
しかしながら、本発明では、保留玉消化手段１２１によって、第２特別図柄の保留玉に係る抽せん表示を他の抽せん表示に優先して消化するように構成し、第２保留玉表示手段に保留玉があれば、その保留玉に係る抽せん結果の表示を他のものより優先させる構成とした。
【００２６】
したがって、時短状態においては、第２保留玉表示手段３１７による保留玉表示が定常的に行われ、該第２保留玉表示が消化される状態となっている。
そして、このような時短状態は、所定条件、例えば、特別図柄抽せん表示が所定回数（例えば１００回）行われることで終了するように構成されている（ただし、その前に大当たりが生ずれば、当然ながら、その時点で時短状態を終了し、特定遊技状態に移行する。）ので、この時短状態の終了時は、多くの場合、第２保留玉表示手段３１７の表示が消化された状態となっている。
そして、この時短状態が終了して通常遊技状態に戻るときには、第１保留玉表示手段３１６による保留玉は、多くの場合、最大個数（本実施の形態の場合、４個）が確保された状態となっている。
【００２７】
時短状態は上記したように遊技者にとって有利な遊技状態となっているので、このように大当たりにならないで時短状態が終了することは、遊技者に対し、遊技に対する興趣を失わせる効果を与えてしまう。  
【００２８】
そこで、本発明では、第２保留玉表示手段に表示されている保留玉に係る変動表示が全て終了した時点で、第１保留玉表示手段３１６に表示された保留玉（上記したように、時短状態が終了した時点では、通常、第１保留玉表示手段に表示される該保留玉は、最大個数となっている）について、該保留玉が大当たりの当せん乱数を保有している場合に、そのことを予め予告表示する手段を設ける構成とした。
【００２９】
このように構成すると、時短状態において第２特別図柄の保留玉に係る抽せん表示を他の抽せん表示に優先して消化するように構成したことと相まって、この第２保留玉が全て消化された状態にも拘わらず（上記したように、多くの場合、このような状態は時短終了時点においてもたらされる）、遊技者にとって有利な状態が第２保留玉に続き継続された、あるいは遊技者にとって有利な状態が第１保留玉によって復活された、と遊技者に認識（いうなれば、錯覚）させることができ、遊技に対する興趣を第２保留玉消化後も持続させることができる。
さらに、時短状態においては、普通図柄の当せん確率が高められ、第２始動入賞口４２の開放時間が長くされているとしても、障害釘等により、必ずしも該第２始動入賞口に遊技球が頻繁に入賞することなく、第２保留玉が無くなってしまう遊技台であることも少なくない。このような遊技台にあっても、このような構成とすることにより、遊技者にとっては、第２保留玉が全消化される毎に第１保留玉に係る大当たり予告表示が見られることから、保留玉表示に対する期待感を常時、持続させることができる。
【００３０】
本実施の形態においては、第１特別図柄表示手段３１０の変動表示中に第１始動入賞口４１に入賞した遊技球については、その入賞時に当せん乱数が付与されるとともに、保留玉当たり判定手段１２２により大当たり当せん乱数か否か判定し、その判定結果が、当せん乱数と共に第１保留玉乱数記憶手段１１８に、入賞順に記憶される。
そして、第２保留玉表示手段３１７に係る保留玉が全て消化された時点で、保留玉当たり判定手段１２２が、第１保留玉乱数記憶手段１１８を読み込み、記憶された保留玉乱数の中に大当たり当せん乱数があるか否か、またそれが何番目の保留玉に係るものかを判断する。大当たり保留玉がある場合には、保留玉表示制御手段１２０を制御して、保留玉当たり予告手段３１９により、該第１保留玉中に大当たりがあることを遊技者に予告する。
このように該第１保留玉に大当たりがあることを表示するために、保留玉表示制御手段１２０は、予告データ用メモリ１２４から保留玉当たり予告画像表示のための予告用画像表示データを読み出し、そのデータを用いて保留玉表示可変予告手段３２０による保留玉当たり表示を行うように構成することもできる。例えば、第１保留玉表示手段３１６により表示されている保留玉のうち、時系列で２番目に保留玉となったものが大当たり当せん乱数を有するものであると判定された場合には、図２に示すように、該データを用いて左から２番目の保留玉表示の形態を変化させることで、大当たり予告を行うように構成する。
【００３１】
あるいはまた、該第１保留玉中に大当たりがあることを予告するために、保留玉当たり予告手段３１９を、効果音出力装置３１３あるいはランプ装置３１４、さらには演出画像表示手段３１８に替え、それらを適宜用いて、大当たり予告を行うように構成することもできる。
【００３２】
上記した保留玉表示可変予告手段３２０による予告を用いると、第２保留玉の消化表示から、第１保留玉による予告表示へと、時短状態の終了後であっても、保留玉に係る表示として連続的に認識させることができるので、好ましい。
一方、効果音出力装置３１３等を用いる場合では、複数個ある第１保留玉のどの保留玉について予告されたのかは遊技者に不知なので、遊技者に対し大当たりに対する期待感をかき立てることができる。
【００３３】
更には、この保留玉当たりを予告するか否かを抽選する予告抽せん手段１２３を設け、大当たりの予告を、大当たり抽せん手段１１４による判定がなされた時点で（つまり、第２保留玉表示の有無に拘わらず）、予め定められた確率（例えば２０％の確率）で行うこともできる。
つまり、第１始動入賞口４１へ遊技球が入賞したとき付与される保留玉に係る当せん乱数が大当たりである場合には、該予告抽せん手段１２３による抽せんを行い、この抽せんに当選することにより、その時点で、保留玉表示制御手段１２０により保留玉当たり予告手段３１９を制御し、第１保留玉表示中に大当たりが存在することを予告するものである。
そして、この抽せんに外れた場合であっても、上記したように、第２保留玉に係る保留玉表示が全て消化された時点で、保留玉当たり判定手段１２２により大当たり保留玉を判定し、その保留玉当たり予告を行うように構成する。
【００３４】
このように構成すると、第２保留玉表示があっても第１保留玉に係る保留玉当たり予告をする場合が生じるので、第１保留玉表示が第２保留玉表示に続く一連の遊技であると遊技者に一層、認識（いうなれば、錯覚）させることができるので、好ましい。  
【００３５】
次に、上記のように構成された本実施の形態におけるパチンコ遊技機の保留玉予告表示動作を、図４に示すフローチャートを用いて説明する。
第１始動入賞口に遊技球が入賞すると、乱数取得手段１１３により当せん乱数が取得されると共に、先ず、大当たり抽せん手段１１４により、その当せん乱数が大当たり当せん乱数であるか否か判定される。（Ｓ１）
大当たり当せん乱数である場合は、その乱数が保留玉として表示すべきものであるか否か、つまり第１特別図柄表示手段３１０又は第２特別図柄表示手段３１１が変動表示中であるか否かが判定される。（Ｓ２）
いずれの特別図柄も変動中でない場合は、保留玉として表示されない入賞なので保留玉表示をすることなく、その入賞に対応する特別図柄変動が直ちになされる。（Ｓ２−ＮＯ）。
いずれかの特別図柄が変動中である場合には、保留玉として表示されるものであるので、（Ｓ２―ＹＥＳ）、予告抽せん手段１２３により、その保留玉表示を直ちに大当たり予告表示とすべきか否か抽せんを行う。（Ｓ３）
該予告抽せん手段１２３による抽せんに当せんした場合は（Ｓ３―ＹＥＳ）、直ちに、第１保留玉表示手段３１６による表示を、保留玉当たり予告手段３１９によって、大当たりである旨の保留玉表示として行うとともに、該大当たり当せん乱数を一旦、第１保留玉乱数記憶手段１１８に記憶する。これは、後に、第１特別図柄変動手段３１０及び演出画像表示手段３１８による変動表示等を行うために、読み出される。
該予告抽せん手段による抽せんに外れた場合は（Ｓ３―ＮＯ）、該大当たり当せん乱数を一旦、第１保留玉乱数記憶手段１１８に記憶する。これは、後に、該保留玉に係る保留玉当たり予告表示や第１特別図柄変動手段３１０及び演出画像表示手段３１８による変動表示等を行うために、読み出される。
次に、その時点で行われている特別図柄変動が第１特別図柄変動表示であるか、第２特別図柄変動表示であるかが判定される。（Ｓ４）
この時点（Ｓ４）で行われている特別図柄変動表示が第２特別図柄によるものである場合には（Ｓ５）、第２保留玉乱数記憶手段１１９に保留玉乱数が記憶されているか否かが判定される。（Ｓ６）
次に、保留玉消化手段１２１により、第２保留玉乱数記憶手段１１９に保留玉が無いことを確認したら（Ｓ６−ＮＯ）、その時点で行われている第２特別図柄変動が終了することは、第２保留玉が全て消化された時点であるので、該第２特別図柄変動表示が終了するか否かを判定する。（Ｓ７）
次に、保留玉当たり判定手段１２２により、該第２特別図柄変動が終了した時点（Ｓ７−ＹＥＳ）で、第１保留玉乱数記憶手段１１８を読み出し、保留玉当たり予告手段３１９を制御して、該第１保留玉中に大当たりがあることを予め遊技者に予告する。（Ｓ８）
Ｓ４の時点で行われている特別図柄変動表示が第１特別図柄によるものである場合には（Ｓ９）、該変動表示が終了した後、第１保留玉乱数記憶手段に記憶されている次の第１保留玉に係る表示が行われ、該変動表示が終了した時点での保留玉表示に係る大当たり予告表示は行われないが、保留玉当たりに係る第１特別図柄変動表示が開始されるまでの間に第２保留玉が発生すれば（Ｓ１０−ＹＥＳ）、その第２保留玉に係る変動表示が全て終了した時点で（Ｓ７−ＹＥＳ）、保留玉当たり判定手段１２２により、第１保留玉乱数記憶手段１１８を読み出し、保留玉当たり予告手段３１９を制御して、該第１保留玉中の所定の保留玉に大当たりがあることを遊技者に予告する。（Ｓ８）
【図面の簡単な説明】
【００３６】
【図１】本発明の実施の形態に係る遊技盤の全体説明図。
【図２】本発明の実施の形態に係る役物装置の構成。
【図３】本発明の実施の形態に係る遊技機の全体構成。
【図４】本発明の実施の形態に係る遊技機の動作フロー。
【符号の説明】
【００３７】
１  遊技盤
４０  一般入賞口
４１  第１始動入賞口
４２  第２始動入賞口
４３  普通図柄始動口  
４４  大入賞口
３００  役物装置
３１０  第１特別図柄表示手段
３１１  第２特別図柄表示手段
３１２  普通図柄表示手段  
３１６  第１保留玉表示手段
３１７  第２保留玉表示手段
３１８  演出画像表示手段
【図１】
2010063791.tif 000003
【図２】
2010063791.tif 000004
【図３】
2010063791.tif 000005
【図４】
2010063791.tif 000006